(57)【要約】【課題】箱形のコンテナにおいて、輸送時には保護ケースを規制枠で確りと保持固定してぐらつきを防止できるにもかかわらず、小サイズのパレットをフォークで捕捉する際に規制枠が邪魔になるのを解消して、パレットの取り出し等を迅速かつ円滑に行えるようにする。【解決手段】大サイズのパレットと、パレットの上面に装着される箱状の保護ケースと、保護ケースの下部を位置決め保持する規制枠を備えている。大サイズのパレットに、積荷が搭載された小サイズのパレットを載置し、積荷および小サイズのパレットの外面を保護ケースで覆った状態で輸送する。規制枠は、パレットの上面四周縁に沿って装着される前後左右の枠体で構成する。大サイズのパレットの前面に位置する前記枠体に、小サイズのパレットのフォーク挿入空間にフォークを差し込むためのフォーク挿入用の凹部を形成する。【選択図】図１
2008222285.tif 000002
【特許請求の範囲】
【請求項１】
大サイズのパレットと、前記パレットの上面に組み付けられる箱状の保護ケースと、前記パレットの上面に固定されて保護ケースの下部を位置決め保持する規制枠を備えており、
前記大サイズのパレットに、積荷が搭載された小サイズのパレットを載置し、積荷および小サイズのパレットの外面を前記保護ケースで覆った状態で搬送に供する箱形コンテナであって、
前記規制枠は、前記大サイズのパレットの上面四周縁に沿って上向きに突設される前後、および左右の枠体で構成されており、
少なくとも前記大サイズのパレットの前面に位置する前記枠体の規制壁に、前記小サイズのパレットのフォーク挿入空間に対応するフォーク挿入用の凹部が形成してある箱形コンテナ。
【請求項２】
前記小サイズのパレットの４周側面のそれぞれに、フォークリフトのフォークを差し込むためのフォーク挿入空間が形成されており、
前記フォーク挿入用の凹部が、前記した前後、左右の各枠体の規制壁のそれぞれに形成してある請求項１記載の箱形コンテナ。
【請求項３】
前記フォーク挿入用の凹部の左右幅寸法が、前記小サイズのパレットの各周側面において隣接するフォーク挿入空間の最大幅寸法と同じかこれより僅かに大きく形成してある請求項１または２記載の箱形コンテナ。
【発明の詳細な説明】
【技術分野】
【０００１】
本発明は、パレットと、パレット上の積荷の周囲および上面を覆う保護ケースを備えている箱形コンテナに関する。
【背景技術】
【０００２】
この種の箱形コンテナは、例えば特許文献１に見ることができる。そこでは、ダンボール製のパレットと、下面が開口する角箱状の保護ケースとで箱形コンテナを構成している。ダンボール製の保護ケースの開口周縁には複数の突片が設けてあり、これらの突片をパレットのスペーサーブロックに連結固定することにより、保護ケースをパレットと一体化している。この箱形コンテナは、人力での搬送が困難な数十キロ前後の装置類を搬送するために使用される。
【０００３】
保護ケースの組立作業および分解作業を簡便化し、コンテナ全体を回収搬送する際の省スペースを実現するために、保護ケースを分解し積層可能とする箱形コンテナが提案されている（特許文献２）。そこでは、パレットと、パレットの対向辺部に起立固定される一対の左右パネルと、両側壁パネルに上方から差し込み連結される前後パネルと、これらパネルの上面開口に被せ付けられる蓋構造の上パネルとで箱形コンテナを構成している。各パネルはアルミニウム条材で構成されるパネル枠と、パネル枠に固定されるプラスチック製のパネルとで構成してある。上パネルは面ファスナーで左右パネルに分離不能に固定できる。この箱形コンテナは、例えば液晶セル基板やプラズマディスプレイ基板などに貼り付けられる偏光フイルムや反射防止フイルムなどの光学フイルムを輸送するために適用されており、輸送時の積荷の傷付きや、塵埃等による積荷の汚損を防止できる。
【０００４】
【特許文献１】特開平８−２８２６６３号公報（段落番号０００６〜０００７、図１）
【特許文献２】特開２００６−３４７６１７号公報（段落番号００４６、図３）
【発明の開示】
【発明が解決しようとする課題】
【０００５】
先に説明した光学フイルムなどは、塵埃等による汚損のない清浄な製造環境、例えばクリーンルーム内で製造され、搬送先では再びクリーンルーム内の加工エリアへと運び込まれる。このように、塵埃等による汚損を極端に嫌う搬送対象を輸送する場合には、輸送中に付着した塵埃や異物がクリーンルームに入り込むのを防ぐために、クリーンルーム専用のパレットに搬送対象を積載し、これらをより大きなサイズのパレット上に載置し、大サイズのパレットに組み付けた保護ケースで、小サイズのパレットと積荷の外面を覆っている。つまり、搬送対象と、搬送対象が積載された小サイズのパレットを一単位の積荷として全搬送する。
【０００６】
上記のように、搬送対象と小サイズのパレットを全搬送する形態では、輸送時の保護ケース、および小サイズのパレットのずれ動きを規制するために、大サイズのパレットの上面に規制枠を設けるが、その高さが高いほど保護ケースを安定した状態で支持できる。とくに、保護ケースをダンボール単体で構成するような場合には、規制枠の高さが高いほど保護ケースを安定支持できる。しかし、規制枠の高さが高いと、搬送対象が積載された小サイズのパレットの荷扱いが困難になる。
【０００７】
例えば、搬送先ではクリーンルームの外で箱形コンテナを開梱し、搬送対象を小サイズのパレットごとクリーンルーム専用のフォークリフトでクリーンルーム内へ搬入するが、このとき、大サイズのパレットに固定した規制枠が、小サイズのパレットに設けられるフォーク挿入空間の前面を塞ぐため、小サイズのパレットをフォークで捕捉する際の邪魔になり、小サイズのパレットの捕捉を円滑に行えない。規制枠の突出高さを低くすると、規制枠が邪魔になるのを阻止できるが、反面、保護ケースを確実に支持できず輸送中に保護ケースがぐらつきやすい。
【０００８】
本発明の目的は、小サイズのパレットをフォークで捕捉する際に規制枠が邪魔になるのを解消して、小サイズのパレットのフォークリフトによる荷扱いを迅速かつ円滑に行うことができ、しかも、全搬送時には保護ケースを規制枠で確りと保持固定し同時に位置決めできる箱形のコンテナを提供することにある。
【課題を解決するための手段】
【０００９】
本発明の箱形コンテナは、大サイズのパレット１と、パレット１の上面に組み付けられる箱状の保護ケース２と、パレット１の上面に固定されて保護ケース２の下部を位置決め保持する規制枠３を備えており、大サイズのパレット１に、積荷が搭載された小サイズのパレット２１を載置し、積荷および小サイズのパレット２１の外面を、保護ケース２で覆った状態で搬送に供される。前記規制枠３は、大サイズのパレット１の四周縁に沿って上向きに突設される前後、および左右の枠体３ａで構成する。以て、少なくとも大サイズのパレット１の前面に位置する枠体３ａの規制壁１７に、小サイズのパレット２１のフォーク挿入空間２７に対応するフォーク挿入用の凹部１８が形成してあることを特徴とする。
【００１０】
小サイズのパレット２１の４周側面のそれぞれに、フォークリフトのフォークＦを差し込むためのフォーク挿入空間２７を形成する。フォーク挿入用の凹部１８を、前後、左右の各枠体３ａにおける規制壁１７のそれぞれに形成する。
【００１１】
図４に示すように、フォーク挿入用の凹部１８の左右幅寸法Ｌ２を、小サイズのパレット２１の各周側面において隣接するフォーク挿入空間２７の最大幅寸法Ｌ１と同じかこれより僅かに大きく形成する。
【発明の効果】
【００１２】
本発明においては、大サイズのパレット１と、箱状の保護ケース２と、パレット１の上面に固定される規制枠３を備えた箱形コンテナにおいて、規制枠３を大サイズのパレット１の四周縁に沿って設けた前後および左右の枠体３ａで構成し、少なくとも大サイズのパレット１の前面に位置する枠体３ａの規制壁１７に、小サイズのパレット２１のフォーク挿入空間２７に対応するフォーク挿入用の凹部１８を形成するので、小サイズのパレット２１をフォークリフトのフォークＦで捕捉する際に規制枠３ａが邪魔になるのを解消できる。
【００１３】
以上のように、枠体３ａの規制壁１７にフォーク挿入用の凹部１８を形成した箱形コンテナによれば、搬送先における小サイズのパレット２１のフォークリフトによる荷扱いを規制枠３に邪魔されることもなく迅速かつ円滑に行って、保護ケース２で保護されたクリーンな状態の積荷を小サイズのパレット２１ごとクリーンルームなどへ搬入できる。さらに、積荷を積載した状態の小サイズのパレット２１を大サイズのパレット１上に載置して全搬送する際には、保護ケース２を必要十分な高さの規制枠３で確りと保持固定して位置決めし、保護ケース２のぐらつきを規制し、同時に小サイズのパレット２１のずれ動きを規制できるので、他物との接触で傷付きやすい積荷を安定した状態で搬送するのに好適な箱形コンテナとすることができる。
【００１４】
フォーク挿入用の凹部１８が前後、左右の各枠体３ａの規制壁１７に形成してあると、小サイズのパレット２１の４周側面のそれぞれにフォーク挿入空間２７が形成してある場合に、大サイズのパレット１における任意の周側面からフォークＦをフォーク挿入空間２７に差し込んで荷扱いを行えるので、積荷が積載された小サイズのパレット２１の、大サイズのパレット１に対する積込みあるいは取り出しを、さらに迅速かつ簡便に行って搬送元や搬送先における積荷の荷扱い作業を能率よく行うことができる。
【００１５】
フォーク挿入用の凹部１８の左右幅寸法Ｌ２を、小サイズのパレット２１において隣接するフォーク挿入空間１８の最大幅寸法Ｌ１と同じかこれより僅かに大きく形成すると、凹部１８の左右幅寸法Ｌ２の範囲内で、フォーク挿入空間２７に差し込まれるフォークＦの隣接間隔寸法を自由に変更調整できるので、例えば、各フォーク挿入空間２７に対応して個別にフォーク挿入用の凹部１８を設ける場合に比べて、搬送元、および搬送先における作業基準に適合したフォークリフトによる搬送作業を行うことができる点で有利である。
【発明を実施するための最良の形態】
【００１６】
（実施例）  図１ないし図４は本発明に係る箱形コンテナの実施例を示す。図１および図２において箱形コンテナは、大サイズのパレット１と、パレット１の上面に組み付けられる箱状の保護ケース２と、パレット１の上面に固定されて、後述する小サイズのパレット２１のずれ動きを規制し、同時に保護ケース２の下部を位置決め保持する規制枠３などで構成する。大サイズのパレット１は、それぞれ正方形状に形成される上面のデッキ板４と下面のベース板５と、両板４・５を繋ぐスペーサーブロック６とを一体に備えたプラスチック成形品からなる。スペーサーブロック６は、パレット１の四隅部分と、各周側面の中央部分などに設けてあり、各周側面において隣接するスペーサーブロック６・６の間に、フォークリフトのフォークＦを差し込むためのフォーク挿入空間７が形成してある。
【００１７】
保護ケース２は、左パネル１１および右パネル１２と、前パネル１３および後パネル１４と、これらのパネル１１〜１４の上面開口を塞ぐ上パネル１５とで構成する。この実施例では、後パネル１４を、左右に分割した左後パネル１４Ｌと右後パネル１４Ｒとで構成し、これら両パネル１４Ｌ・１４Ｒの隣接縁どうしを図示していないヒンジで折り畳み可能に連結し、さらに両パネル１４Ｌ・１４Ｒの外側縁を、左右のパネル１１・１２に対して図示していないヒンジで折り畳み可能に連結して、左右のパネル１１・１２と後パネル１４の三者を、平面から見てΣ字状に折り畳み積層できるようにした。上パネル１５を含む各パネル１１〜１５は、アルミニウム条材で構成される四角枠状のパネル枠と、パネル枠に固定されるプラスチックダンボール製の内外一対のパネルと、両パネルの間に配置されるスペーサーなどで構成して軽量化してある。
【００１８】
規制枠３は、大サイズのパレット１の四周縁に沿って配置される前後および左右の合計４個の枠体３ａで構成する。各枠体３ａはアングル状のアルミニウム条材からなり、一方の辺部を大サイズのパレット１の四周縁に沿って固定することにより、上向きに突出する規制壁１７が形成される。各枠体３ａは、パレット１の四隅部分において隙間を介して隣接している。４個の各枠体３ａのうち、大サイズのパレット１の前面側に位置する枠体３ａに限って、フォークＦを挿入するための凹部１８が規制壁１７に切り欠き形成してある。凹部１８を設けることで、前面側の枠体３ａでは、その左右両端に限って規制壁１７が残ることになる。凹部１８の詳細構造は後述する。
【００１９】
上記のように構成した箱形コンテナは、図２に示すように大サイズのパレット１のデッキ板４上に、積荷が搭載された小サイズのパレット２１を載置し、積荷および小サイズのパレット２１の外面を保護ケース２で覆った状態で輸送に供する。小サイズのパレット２１は、大サイズのパレット１と同様に構成するが、その前後寸法、および左右寸法が大サイズのパレット１よりひと回り小さくなるように形成してある。詳しくは小サイズのパレット２１は、それぞれ正方形状に形成される上面のデッキ板２４と下面のベース板２５と、両板２４・２５を繋ぐスペーサーブロック２６とを一体に備えたプラスチック成形品からなる。スペーサーブロック２６は、パレット２１の四隅部分と、各周側面の中央部分などに設けてあり、各周側面において隣接するスペーサーブロック２６・２６の間に、フォークリフトのフォークＦを差し込むための２個のフォーク挿入空間２７が形成してある。
【００２０】
先に説明したフォーク挿入用の凹部１８は、小サイズのパレット２１に設けられるフォーク挿入空間２７の位置および寸法との関係で形成する。図４に示すように、小サイズのパレット２１を大サイズのパレット１上に載置した状態において、小サイズのパレット２１の前面において隣接するフォーク挿入空間２７・２７の最大幅寸法をＬ１とするとき、凹部１８の左右幅寸法Ｌ２を先の最大幅寸法Ｌ１より僅かに大きく形成する。さらに、凹部１８の底縁の高さｈを、フォーク挿入空間２７の下面位置と同じか、これより僅かに低くなるように設定する。なお、規制壁１７の高さ寸法は、少なくとも小サイズのパレット２１のずれ動きを規制できる寸法であればよいが、保護ケース２をその形成材料とは無関係に常に安定した状態で保護ケース２を支持するには、小サイズのパレット２１におけるフォーク挿入空間２７の上下中央位置より上側に規制壁１７の上縁を位置させることが好ましい。
【００２１】
以上のように、大サイズのパレット１の前面に位置する枠体３ａに、フォークＦを挿入するための凹部１８を設けると、搬送先で小サイズのパレット２１をフォークリフトで積荷ごと取り出すとき、規制壁１７に邪魔されることもなくフォークＦを小サイズのパレット２１のフォーク挿入空間２７に差し込むことができるので、小サイズのパレット２１のフォークリフトによる荷扱いを迅速かつ円滑に行うことができる。必要があれば、保護ケース２の上パネル１５と前パネル１３を取り外した状態で、小サイズのパレット２１を箱形コンテナから取り出してもよい。搬送時には、保護ケース２の各パネル１１〜１５を、左右および後の枠体３ａと、凹部１８の両側に位置する充分な高さの規制壁１７で確りと保持固定し位置決めできるので、外部振動や運動慣性力によって保護ケース２がぐらつくのを防止でき、しかも、小サイズのパレット２１のずれ動きを規制枠３で規制できるので、箱形コンテナを常に安定した状態で輸送できる。
【００２２】
上記の実施例では、隣接する左右のフォーク挿入空間２７に対して、左右幅の大きな１個の凹部１８を設けるようにしたが、その必要はなく、左右のフォーク挿入空間２７のそれぞれに対応して、２個の凹部１８を設けることができる。また、フォーク挿入用の凹部１８は、前後、左右の各枠体３ａに形成することができ、その場合には、大サイズのパレット１における前後左右の周側面のうち、任意の周側面からフォークＦをフォーク挿入空間２７に差し込むことができる。もちろん、大サイズのパレット１における前後周側面、あるいは左右周側面に限ってフォーク挿入用の凹部１８を設けてもよい。
【００２３】
上記の実施例では、保護ケース２の左右パネル１１・１２と後パネル１４とをΣ字状に折り畳み積層できるようにしたが、その必要はなく、分解された左右パネル１１・１２と前後パネル１３・１４と上パネル１５を、大サイズのパレット１の上面に単純に積層収納して搬送元へ返送することができる。左右パネル１１・１２は、その基端に設けた係合構造を、対応する枠体３ａに対して係合連結することにより、パレット１の上面に起立する仮組み状態を自己保持できるように構成することができる。
【図面の簡単な説明】
【００２４】
【図１】箱形コンテナの一部を分離した状態の斜視図である。
【図２】箱形コンテナの分解斜視図である。
【図３】搬送状態における箱形コンテナの正面図である。
【図４】横断平面図である。
【符号の説明】
【００２５】
１  パレット（大サイズ）
２  保護ケース
３  規制枠
３ａ  規制枠の枠体
１７  規制壁
１８  凹部
２１  パレット（小サイズ）
２７  フォーク挿入空間
【図１】
2008222285.tif 000003
【図２】
2008222285.tif 000004
【図３】
2008222285.tif 000005
【図４】
2008222285.tif 000006